(57)【要約】【課題】吸着材が外部から見えることなく、吸着材が外れたり損傷したりすることのない安価なスタンプを提供する。【解決手段】複数のスタンプが一体に組み合わされて構成されるスタンプユニットに用いられるスタンプであって、印面が設けられた非磁性体からなる台部材を備え、台部材は、印面と対向する対向面と該対向面以外の側面を備え、側面のうち、組み合わせで他のスタンプに対向する対向側面に磁性体からなる一対の吸着材を配置した状態で隠蔽するための有底の隠蔽用穴が所定の間隔をおいて一対形成され、隠蔽用穴は、底部側に形成された挿入部と、挿入部に連続して対向側面側に形成された閉塞部とを備え、一対のうち少なくとも一つの挿入部には、吸着材としてマグネットが挿入され、閉塞部には、閉塞部を塞ぐように一対の保護材が設けられている。【選択図】図１
2018075738.tif 000002
【特許請求の範囲】
【請求項１】
複数のスタンプが一体に組み合わされて構成されるスタンプユニットに用いられるスタンプであって、印面が設けられた非磁性体からなる台部材を備え、該台部材は、前記印面と対向する対向面と該対向面以外の側面を備え、該側面のうち、組み合わせで他のスタンプに対向する対向側面に磁性体からなる一対の吸着材を配置した状態で隠蔽するための有底の隠蔽用穴が所定の間隔をおいて一対形成され、該隠蔽用穴は、底部側に形成された挿入部と、該挿入部に連続して前記対向側面側に形成された閉塞部とを備え、前記一対のうち少なくともいずれか一つの挿入部には、前記吸着材としてマグネットが挿入され、前記閉塞部には、該閉塞部を塞ぐように一対の保護材が設けられていることを特徴とするスタンプ。
【請求項２】
前記側面は、大きさの異なる複数の側面部を備え、前記一対の隠蔽用穴を有する前記対向側面は、複数の側面部のうちの大きな側面部であることを特徴とする請求項１に記載のスタンプ。
【請求項３】
前記対向側面は平面を有しており、前記一対の保護材の表面は、前記平面と同一面を構成することを特徴とする請求項１又は２に記載のスタンプ。
【請求項４】
前記台部材は直方体であり、前記一対の隠蔽用穴は前記対向側面において対角に配置されることを特徴とする請求項１乃至３のいずれか１項に記載のスタンプ。
【請求項５】
前記閉塞部は、前記挿入部よりも断面寸法が大きいことを特徴とする請求項１乃至４のいずれか１項に記載のスタンプ。
【発明の詳細な説明】
【技術分野】
【０００１】
本発明は、印影を形成するため、例えば、住所、氏名、社名などの情報を設けた印面が備えられたスタンプに関する。
【背景技術】
【０００２】
従来のこの種のスタンプ１０ａ，１０ｂは、図８（ａ）に示すように、例えば木製や樹脂製で直方体形状の台部材１１を備える。該台部材１１の底面１１ａには、例えば合成ゴムを板状に形成し、その表面に例えば、住所、氏名、社名などの情報を設けた印面１２を備えている。該印面１２とは反対側の台部材１１の上面１１ｂには、前記印影が印刷された所謂見出し１３が設けられている。台部材１１の側面のうち幅広の側面１１ｃには、その幅方向に延びる吸着材としての帯状で向きが異極のマグネットシートＭＳ１，ＭＳ２が上下方向に複数貼着されている。具体的には、スタンプ１０ａの一方の側面１１ｃ全体に、表面がＮ極のマグネットシートＭＳ１と表面がＳ極のマグネットシートＭＳ２とが交互に配置されている。スタンプ１０ｂの他方の側面１１ｃ全体に、吸着材としての表面がＳ極のマグネットシートＭＳ２と、表面がＮ極のマグネットシートＭＳ１とが交互に配置されている。
【０００３】
上記構成によれば、押印する際は、それぞれのスタンプ１０ａ，１０ｂが組み合わされたスタンプユニットとして使用される。具体的には、互いのスタンプ１０ａ，１０ｂの向きが異極のマグネットシートＭＳ１とマグネットシートＭＳ２とを対向させることによって、互いのスタンプ１０ａ，１０ｂ同士が密接し位置ずれすることなく直方体形状に一体化された状態で押印する。また、それぞれのスタンプ１０ａ，１０ｂを組み替えて押印する場合、図８（ｂ）に示すように、幅方向に延びるマグネットシートＭＳ１，ＭＳ２同士が吸着（密着）した状態で、一方のスタンプ１０ａの側面１１ｃに対し他方のスタンプ１０ｂの側面１１ｃを、一方のスタンプ１０ａの側面１１ｃに沿って矢印の方向（上方向）にずらしている（特許文献１参照）。
【先行技術文献】
【特許文献】
【０００４】
【特許文献１】実開平６−９９６５号公報
【発明の概要】
【発明が解決しようとする課題】
【０００５】
ところで、前記特許文献１のスタンプ１０ａ，１０ｂは、それぞれの側面１１ｃ全体に、幅方向に延びる表面がＮ極のマグネットシートＭＳ１と表面がＳ極のマグネットシートＭＳ２とが交互に配置されているため、その分コスト高になる。また、マグネットシートＭＳ１，ＭＳ２は露出した状態であるため、見栄えが悪く、さらには外部からの衝撃によって外れたり、損傷したりすることがある。
【０００６】
そこで、本発明は、かかる事情に鑑み、吸着材が外部から見えることなく、吸着材が外れたり損傷したりすることのない安価なスタンプを提供することを課題とする。
【課題を解決するための手段】
【０００７】
本発明に係るスタンプは、複数のスタンプが一体に組み合わされて構成されるスタンプユニットに用いられるスタンプであって、印面が設けられた非磁性体からなる台部材を備え、該台部材は、前記印面と対向する対向面と該対向面以外の側面を備え、該側面のうち、組み合わせで他のスタンプに対向する対向側面に磁性体からなる一対の吸着材を配置した状態で隠蔽するための有底の隠蔽用穴が所定の間隔をおいて一対形成され、該隠蔽用穴は、底部側に形成された挿入部と、該挿入部に連続して前記対向側面側に形成された閉塞部とを備え、前記一対のうち少なくともいずれか一つの挿入部には、前記吸着材としてマグネットが挿入され、前記閉塞部には、該閉塞部を塞ぐように一対の保護材が設けられていることを特徴とする。
【０００８】
上記構成によれば、隠蔽用穴には、底部側の挿入部に吸着材が挿入された状態で、対向側面側の閉塞部に、対向側面側を塞ぐように保護材が設けられているため、隠蔽用穴を塞いだ保護材によって吸着材は外部から見えない状態となって隠蔽用穴に保持され、かつ保護される。具体的に、外部からの衝撃によって吸着材が隠蔽用穴の挿入部から外れたり、損傷したりするのを防止できる。
【０００９】
また、一対の吸着材が配置されるだけであるため、従来のような多数のマグネットシートを配置したスタンプに比べて安価に製造できる。また、数種類のスタンプを組み合わせる場合、互いのスタンプの吸着材を対向させるだけで容易に組み合わせることができる。また、数種類のスタンプを組み替える場合、互いのスタンプの対向側面を位置ずれさせることで、対向する一対の吸着材同士の吸着を容易に解除でき組み替えできる。
【００１０】
本発明の一態様として、前記側面は、大きさの異なる複数の側面部を備え、前記一対の隠蔽用穴が配置された前記対向側面は、複数の側面部のうちの大きな側面部であることが好ましい。
【００１１】
上記構成により、対向側面は、複数の側面部のうちの大きな側面部であるため、一対の吸着材を配置しやすく、保護材も充填しやすい。
【００１２】
本発明の他態様として、前記対向側面は平面を有しており、前記保護材の表面は、前記平面と同一面を構成することが好ましい。
【００１３】
上記構成により、互いのスタンプを異なる方向に移動するように外部から力を加えて、互いのスタンプの側面部の平面同士を滑らせる際に保護材の表面が引っ掛かりを生じさせないため、吸着材同士による吸着を容易に解除できる。また、数種類のスタンプを組み合わせる場合、対向側面の平面と保護材の表面とが同一面であるため、互いに対向する側面部を密接させた状態でスタンプユニットを容易に構成することができる。
【００１４】
本発明の他態様として、前記台部材は直方体であり、前記一対の隠蔽用穴は前記対向側面において対角に配置されることが好ましい。
【００１５】
上記構成により、互いのスタンプを異なる方向に回転させることができ、これにより、一対の吸着材同士による吸着を容易に解除することができる。
【００１６】
本発明の他態様として、前記閉塞部は、前記挿入部よりも断面寸法が大きいことが好ましい。
【００１７】
上記構成により、吸着材に対し外部からの衝撃があっても保護材で保護することができる。
【発明の効果】
【００１８】
以上の如く本発明によれば、吸着材が外部から見えることなく、外部からの衝撃によって吸着材が損傷することのない安価なスタンプを提供することができる。
【図面の簡単な説明】
【００１９】
【図１】図１（ａ）は、本発明の一実施形態に係るスタンプを示した斜視図、図１（ｂ）は、側面部に形成された隠蔽用穴において、該隠蔽用穴に挿入された吸着材、該吸着材の上に充填された樹脂とを示した断面図である。
【図２】図２は、複数のスタンプが組み合わされて構成されたスタンプユニットの使用態様を示した斜視図である。
【図３】図３は、組み合わせた一対のスタンプを互いに異なる方向に回転させて、吸着材同士の吸着を解除する態様を示した側面図である。
【図４】図４は、押印する際に使用するスタンプの定規を示した平面図である。
【図５】図５は、隠蔽用穴において、吸着材を挿入する挿入部の形状と、樹脂が充填される閉塞部の形状とが異なる場合の一例を示した斜視図である。
【図６】図６は、スタンプの非対向側面にリボンや水玉の透かし模様を施したスタンプを示した斜視図である。
【図７】図７は、スタンプの非対向側面に花びらや葉の透かし模様を施したスタンプを示した正面図である。
【図８】図８（ａ）は、従来のスタンプを示した斜視図、図８（ｂ）は、従来のスタンプの使用態様を示した側面図である。
【発明を実施するための形態】
【００２０】
以下、本発明の一実施形態に係るスタンプについて図面を参照しつつ説明する。なお、図１（ａ）では、住所が施された印面３を有するスタンプ１Ａと、社名が施された印面３を有するスタンプ１Ｂとが例示され、図２では、前記スタンプ１Ａ，１Ｂと、代表者の氏名の施された印面３を有するスタンプ１Ｃと、電話番号が施された印面３を有するスタンプ１Ｄとが例示されている。
【００２１】
本実施形態に係るスタンプ１Ａ〜１Ｄは、図１（ａ）および図２に示すように、例えば四角柱（直方体）の台部材２を備える。具体的に、台部材２は非磁性体からなり、底面２ａと、該底面２ａに対向する対向面である上面２ｂと、底面２ａ及び上面２ｂ以外の側面とを備え、該側面は、対向する２つの大きな面（平面）を有する側面部２ｃａ，２ｃｂと、該２つの大きな側面部２ｃａ，２ｃｂと隣接する２つの小さな面（平面）を有する側面部２ｄ，２ｄと、を有する。なお、２つの大きな側面部２ｃａ，２ｃｂは、長方形又は正方形であり、２つの小さな側面部２ｄ，２ｄは長方形である。
【００２２】
底面２ａには、例えば合成ゴムを板状に形成し、その表面に印影を形成するため、例えば、スタンプ１Ａは、住所の印影の施された印面３を有し、スタンプ１Ｂは、社名の施された印面３を有し、スタンプ１Ｃは、代表者の氏名の施された印面３を有し、スタンプ１Ｄは、電話番号の施された印面３を有する。具体的に印面３は、矩形状で、前記住所などの情報が横列又は縦列に突出して配置されている。また、印面３には前記住所などの情報以外に花柄などの装飾（図示せず）が設けられる場合もある。
【００２３】
印面３を対向する対向面としての上面２ｂには、印面３により形成される印影が印刷（塗布も含む）された所謂見出し（図示せず）が設けられる。具体的に、見出しは、印面３と同様に、住所、氏名、社名などの文字が横並びに配置される。
【００２４】
２つの大きな側面部２ｃａ，２ｃｂのうちの一方の側面部２ｃａは、図１（ｂ）に示すように、組み合わせで他のスタンプ１Ｂに対向する対向側面であり、該対向側面は平面を有している。一方の側面部２ｃａには、一対（２箇所）の隠蔽用穴Ｈ，Ｈが所定の間隔をおいて形成されている。
【００２５】
隠蔽用穴Ｈは、磁性体からなる吸着材を配置した状態で隠蔽するための有底の穴であり、一対が一方の側面部２ｃａにおいて対角に形成されている。隠蔽用穴Ｈは、底部側に形成された挿入部Ｈ１と、該挿入部Ｈ１に連続して一方の側面部（対向側面）２ｃａ側に形成された閉塞部Ｈ２とを備えている。本実施形態では、吸着材として円板状のマグネットＭが使用され、該マグネットＭを隠蔽用穴Ｈの底部（挿入部Ｈ１）に挿入できるよう、挿入部Ｈ１の中心と閉塞部Ｈ２の中心とが同一直線上にあり、挿入部Ｈ１の内径と閉塞部Ｈ２の内径とが、マグネットＭの外径よりも少し大きく形成されている。
【００２６】
挿入部Ｈ１の内面（底面）には、接着剤Ｃが塗布され、この接着剤ＣによってマグネットＭが挿入部Ｈ１に固着される。挿入部Ｈ１の底面と他方の側面部２ｃｂとの間の厚みＴは、挿入部Ｈ１に挿入されたマグネットＭの磁力を、組み合わされる他のスタンプ１ＢのマグネットＭに及ぶよう設定されている。この厚みＴは、例えば１〜２ｍｍ（好ましくは１．５ｍｍ）に設定されている。
【００２７】
閉塞部Ｈ２には、マグネットＭを保護すべく、閉塞部Ｈ２を塞ぐ保護材４が設けられる。閉塞部Ｈ２の深さは、マグネットＭを外部の衝撃から保護するための保護材４の厚みを確保する深さに設定されている。閉塞部Ｈ２の深さは、マグネットＭの厚みの半分程度の深さに形成されている。具体的に、閉塞部Ｈ２に設けられた保護材４の厚みは、例えば１〜２ｍｍで、外部からの衝撃によってマグネットＭ，Ｍが損傷することを防止できる厚みになっている。
【００２８】
一対の挿入部Ｈ１，Ｈ１には、図２に示すように、数種類のスタンプ１Ａ〜１Ｄを組み合わせることを考慮して互いのマグネットＭが磁力によって引き合うように配置される。本実施形態では、両方のスタンプ１Ａ，１Ｂに同極の向きのマグネットＭ，Ｍが対角に配置される。具体的に、一方のスタンプ１Ａの一対の挿入部Ｈ１，Ｈ１には、例えばマグネットＭのＮ極、Ｓ極のうちのＮ極が一方の側面部２ｃａ側に向くように対角に配置される。他方のスタンプ１Ｂの一方の挿入Ｈ１には、前記と同様に、マグネットＭのＮ極、Ｓ極のうちのＮ極が一方の側面部２ｃａ側に向くように対角に配置される。これにより、スタンプ１Ａ，１Ｂを組み合わせた場合、隠蔽用穴Ｈが形成されていない他方の側面部２ｃｂを介して互いに対向する一方のスタンプ１ＡのマグネットＭのＳ極と、他方のスタンプ１ＢのマグネットＭのＮ極とが互いに吸着しあい、互いに対向する一方の側面部２ｃａ（隠蔽用穴Ｈが形成されている）と他方の側面部２ｃｂ（隠蔽用穴Ｈが形成されていない）とが密接する。
【００２９】
保護材４は、例えばエポキシ樹脂であり、挿入部Ｈ１に挿入されたマグネットＭ，Ｍを覆うべく、隠蔽用穴Ｈの閉塞部Ｈ２に充填される。具体的に、保護材４は、挿入部Ｈ１に挿入されたマグネットＭ，Ｍの上に融解された状態で、閉塞部Ｈ２を塞ぐように流し込まれる。その後、保護材４は固化して台部材２と一体化する。これにより、挿入部Ｈ１に挿入された状態のマグネットＭは、外部から見えない状態となって、挿入部Ｈ１に保持され挿入部Ｈ１から外れることがなく、外部からの衝撃で損傷することもない。充填後に固化した保護材４の表面は研磨されて平面状に形成されており、一方の側面部２ｃａの表面（組み合わせで他のスタンプ１Ｂに対向する対向側面）と同一面（平面）を構成している。保護材４の色は、台部材２と同じ色であってもよく、異なる色であってもよい。
【００３０】
つぎにスタンプの製造方法について説明する。まず、台部材２の一方の側面部２ｃａの対角位置に隠蔽用穴Ｈ，Ｈを形成する。つぎに、一対の隠蔽用穴Ｈ，Ｈの挿入部Ｈ１，Ｈ１に、例えば同じ極性（一対のマグネットＭ，Ｍが同じ方向に向いた状態）のマグネットＭ，Ｍを挿入する。つぎにマグネットＭ，Ｍの上に融解された状態の保護材４であるエポキシ樹脂を充填し、該保護材４を７０度の温風で加熱して硬化させる。つぎに保護材４の表面と台部材２の一方の側面部２ｃａとが同一面となるよう、保護材４を含む一方の側面部２ｃａの全体を研磨する。
【００３１】
これにより、隠蔽用穴Ｈ，Ｈの挿入部Ｈ１，Ｈ１にマグネットＭ，Ｍが挿入された状態で、隠蔽用穴Ｈ，Ｈの閉塞部Ｈ２，Ｈ２が保護材４によって閉塞され、マグネットＭ，Ｍが保護材４によって保護されるため、接着剤Ｃが劣化してもマグネットＭ，Ｍが隠蔽用穴Ｈ，Ｈから外れることはなく、外部からの衝撃によって損傷することもない。
【００３２】
つぎに複数のスタンプが一体に組み合わされて構成されたスタンプユニットの使用態様について図１〜図３を参照して説明する。例えば、図２に示すように、住所が施された印面３を有するスタンプ１Ａと、社名が施された印面３を有するスタンプ１Ｂと、代表者の氏名の施された印面３を有するスタンプ１Ｃと、電話番号が施された印面３を有するスタンプ１Ｄとを組み合わせる。但し、スタンプ１Ａ〜１Ｄの台部材２は統一感をユーザーに与えるため、同一色のものとする。
【００３３】
具体的には、図１（ａ）に示すように、スタンプ１ＡのマグネットＭ，Ｍと、スタンプ１ＢのマグネットＭ，Ｍが、スタンプ１Ａの他方の側面部２ｃｂを介して対向するように、ユーザーがスタンプ１Ａの他方の側面部２ｃｂとスタンプ１Ｂの一方の側面部２ｃａとを接合させた後、これと同様に、スタンプ１Ｂの他方の側面部２ｃｂにスタンプ１Ｃの一方の側面部２ｃａを接合させ、つぎにスタンプ１Ｃの他方の側面部２ｃｂにスタンプ１Ｄの一方の側面部２ｃａを接合させ、スタンプユニットＳを構成する。この場合、一方の側面部（対向側面）２ｃａの平面と保護材４の表面とが同一面であるため、互いに対向する一方の側面部２ｃａと他方の側面部２ｃｂを密接させた状態でスタンプユニットＳを容易に構成できる。
【００３４】
一体に組み合わされて構成されたスタンプユニットＳの複数の印面３を下側にした状態で、ユーザーがスタンプユニットＳの手前のスタンプ１Ａの側面部２ｃａと最も奥側のスタンプ１Ｄの側面部２ｃｂを指で摘んで、図示しないスタンプ台のインクに複数の印面３を押し付けて、インクを複数の印面３に付着させ、この状態で、例えば紙面に複数の印面３を押し付けて印面３に付着したインクを紙面に転写する。この際、複数のスタンプ１Ａ〜１ＤはマグネットＭ，Ｍの吸着によって位置ずれすることなく整列した状態で押印できるため、印面３の印影もきれいに揃った状態で紙面に表示される。
【００３５】
なお、紙面に印面３を押し付ける際には、印影が傾いて表示されることを避けるため、図４に示す定規６を紙面に傾かないように置いた状態で定規６の直角部位６０にスタンプユニットＳの角部をあてがいつつ行うこともできる。
【００３６】
また、組み合わされたスタンプ１Ａ〜１Ｄの一部、例えばスタンプ１Ｂを組み替える場合、まず、図３の鎖線で示す一方のスタンプ１Ａを、図３の実線で示す他方のスタンプ１Ｂ〜１Ｄに対し矢印の方向（反時計方向）に回転させることで、互いのマグネットＭ，Ｍ同士の吸着が解除され、他方のスタンプ１Ｂ〜１Ｄから取り外せる。つぎに、組み替え対象となるスタンプ１Ｂを、他方のスタンプ１Ｃ，１Ｄに対し反時計方向に回転させると、他方のスタンプ１Ｃ，１Ｄから取り外せる。いずれの場合も、対向する側面部２ｃａ，２ｃｂ同士は互いの平面で接合することから滑りやすくなっており、互いの側面部２ｃａ，２ｃｂ同士を滑らせる際に一方の側面部２ｃａと同一面を構成する保護材４の表面が引っ掛かりを生じさせることがなく、互いのスタンプ１Ａ，１Ｂの一対のマグネットＭ，Ｍによる吸着を容易に解除できる。
【００３７】
また、スタンプユニットＳは、机上や引出し内に収納する場合、複数のスタンプ１Ａ〜１Ｄがきれいに整列した状態で収納できる。また、引出し内の他の収納物がスタンプ１Ａ，１Ｄの側面に当たったとしても、マグネットＭ，Ｍは保護材４で保護されているため、損傷することがない。
【００３８】
また、スタンプユニットＳは、店頭に陳列されている場合も、複数のスタンプ１Ａ〜１Ｄがきれいに整列した状態であるため、目に入りやすく、購買意欲の向上に寄与する。また、陳列棚から落ちたとしても、マグネットＭ，Ｍは保護材４で保護されているため、損傷することがなく、保護材４により固定されているため、隠蔽用穴Ｈ，Ｈから外れることもない。
【００３９】
また、本発明のスタンプ１Ａ〜１ＤおよびスタンプユニットＳは、自ら使用するのに適するばかりでなく、贈答品とすることも適している。
【００４０】
このように、本実施形態によれば、マグネットＭ，Ｍが外部から見えることなく、且つ外部からの衝撃によって損傷することのない安価なスタンプを提供することができる。
【００４１】
なお、本発明は、前記実施形態に限定されるものではなく、本発明の要旨を逸脱しない範囲で種々の変更が可能である。
【００４２】
例えば、前記実施形態では、一対のマグネットＭ，Ｍを対角に配置するようにしたが、例えば、一方の側面部２ｃａを二分する中心線に沿って所定の間隔をおいて配置するようにしてもよい。
【００４３】
また、前記実施形態では、円形状のマグネットＭとしたが、非円形であってもよい。また、挿入部Ｈ１の中心と閉塞部Ｈ２の中心と同一直線上にあるとしたが、中心からずれていてもよい。要は、挿入部Ｈ１に吸着材を挿入できて、挿入した状態の吸着材を閉塞部Ｈ２に設けた保護材４によって保護できればよい。
【００４４】
また、前記実施形態では、スタンプ１Ａにおいて、２つの大きな側面部２ｃａ，２ｃａのうち一方の側面部２ｃａに一対のマグネットＭ，Ｍを配置し、一対のマグネットＭ，Ｍが一方の側面部２ｃａを介して間接的に対向するようにしたが、両方の側面部２ｃａ，２ｃｂのそれぞれに一対のマグネットＭ，Ｍを配置し、一対のマグネットＭ，Ｍが直接的に対向するようにしてもよい。また、スタンプ１Ａにおいて、一方の側面部２ｃａに、一対のうちの一方のマグネットＭを配置し、他方の側面部２ｃｂに他方のマグネットＭを配置するようにしてもよい。
【００４５】
また、前記実施形態では、２つのスタンプ１Ａ，１Ｂを組み合わせる場合において、スタンプ１Ａおよびスタンプ１Ｂのいずれの一方の側面部２ｃａにも、同じ極性の方向のマグネットＭ，Ｍを対角に配置するようにしたが、一方の側面部２ｃａにおいて、異なる極性の方向のマグネットＭ，Ｍを対角に配置するようにしてもよい。具体的に、一方のスタンプ１Ａの一方の側面部２ｃａに配置された一対のうちの一方のマグネットＭをＮ極が一方の側面部２ｃａ側を向くものとし、他方のマグネットＭをＳ極が一方の側面部２ｃａ側を向くものとし、他方のスタンプ１Ｂの一方の側面部２ｃａに配置された一対のうちの一方（１個）のマグネットＭのＳ極が一方の側面部２ｃａ側を向くものとし、他方（１個）のマグネットＭをＮ極が一方の側面部２ｃａ側を向くものとするようにしてもよい。要は、複数のスタンプを組み合わせできるように、すなわち互いのスタンプのマグネットＭ同士が吸着し合えるように、一対のマグネットＭ，Ｍの極性を合わせて配置されてあればよい。
【００４６】
また、前記実施形態では、一方のスタンプ１Ａの一方の側面部２ｃａに一対のマグネットＭ，Ｍを配置し、他方のスタンプ１Ｂの一方の側面部２ｃａに一対のマグネットＭ，Ｍを配置するようにしたが、例えば一方のスタンプ１Ａの一対の吸着材のうちのいずれか一方を鉄片とし、他方をマグネットＭとし、他方のスタンプ１Ｂの一対の吸着材のうちのいずれか一方をマグネットＭとし、他方を鉄片とするようにしてもよい。要は、複数のスタンプ同士をマグネットＭと鉄片とで吸着できればよい。この場合、マグネットＭの数を減らすことができるため、その分コストを低減できる。なお、鉄片はマグネットＭと同一形状のものを使用できる。
【００４７】
また、前記実施形態では、保護材４としてエポキシ樹脂を隠蔽用穴Ｈの閉塞部Ｈ２に充填するようにしたが、木製や樹脂製の小片を閉塞部Ｈ２に嵌め込んだり、木製や樹脂製の雄ねじを閉塞部Ｈ２に螺着させたりするようにしてもよい。要は、吸着材を覆って隠蔽用穴Ｈの閉塞部Ｈ２を塞いで、吸着材を外部からの衝撃から保護できればよい。
【００４８】
また、前記実施形態では、台部材２の素材について特に言及しなかったが、木製、樹脂製のいずれであってもよい。要は、マグネットＭ，Ｍを埋設できる非磁性体の素材であればよい。
【００４９】
また、前記実施形態では、住所が施された印面３を有するスタンプ１Ａと、社名が施された印面３を有するスタンプ１Ｂと、氏名の施された印面３を有するスタンプ１Ｃと、電話番号が施された印面３を有するスタンプ１Ｄとを同じ色の台部材２を組み合わせたが、印影の表す情報の種類に対応した色の台部材を使用することによって、それぞれのスタンプ１Ａ〜１Ｄについて識別性をもたせるようにしてもよい。
【００５０】
また、前記実施形態では、隠蔽用穴Ｈにおいて、吸着材（マグネットＭ，Ｍ）の挿入部Ｈ１と、保護材４を充填する閉塞部Ｈ２とを断面形状で同一形にしたが、例えば図５に示すように、閉塞部Ｈ２の形状を、花、星、リボンなどの形状にしてもよい。この場合、閉塞部Ｈ２の断面寸法は、挿入部Ｈ１の断面寸法よりも大きい。このため、保護材４によるマグネットＭの保護を、断面寸法を大きくした分有効にできる。また、閉塞部Ｈ２に充填される樹脂の色や、閉塞部Ｈ２の断面形状（吸着材の形状）によって台部材２を装飾することができる。
【００５１】
また、前記実施形態では、一対のマグネットＭ，Ｍを有するスタンプ１を例にとって説明したが、レーザー加工機で台部材２に透かし模様（貫通穴）を入れるようにしてもよい。例えば、図６に示すように、手前のスタンプ１Ａの側面部２ｃｂに、水玉の透かし模様５０を貫通穴５０ａで表現し、蝶々結びされたリボンの透かし模様５１を貫通穴５１ａで表現する。奥側のスタンプ１Ｃの側面部２ｃａに、図７に示すように、花びらの模様５２を貫通穴５２ａで表現するとともに、葉の模様５３を貫通穴５３ａで表現し、さらに、リボンを象ったパーツ７を貼り付けるとともに、該パーツ７にラインストーン８を貼り付け、スタンプ１Ａ〜１Ｃを組み合わせてスタンプユニットＳ１を構成するようにしてもよい。このように、透かし模様５０，５１，５２，５３、パーツ７、ラインストーン８、ラメ模様を種々組み合わせることで、無味乾燥なスタンプ１Ａ〜１ＣおよびスタンプユニットＳ１を洒脱にすることができ、個人が使用するための識別性が高くなる。また、購買意欲を向上させられる。
【符号の説明】
【００５２】
１Ａ〜１Ｄ…スタンプ、２…台部材、２ａ…底面、２ｂ…対向面（上面）、２ｃａ…対向側面（一方の大きな側面部）、２ｃｂ…非対向側面（他方の大きな側面部）、２ｄ…小さな側面部、３…印面、４…保護材、５０〜５３…透かし模様、６…定規、７…パーツ、８…ラインストーン、Ｃ…接着剤、Ｈ…隠蔽用穴、Ｈ１…挿入部、Ｈ２…閉塞部、Ｍ１，Ｍ２…マグネット（吸着材）、Ｓ，Ｓ１…スタンプユニット
【図１】
2018075738.tif 000003
【図２】
2018075738.tif 000004
【図３】
2018075738.tif 000005
【図４】
2018075738.tif 000006
【図５】
2018075738.tif 000007
【図６】
2018075738.tif 000008
【図７】
2018075738.tif 000009
【図８】
2018075738.tif 000010